(57)【要約】      （修正有）【課題】過度なエネルギー消費を要することなく顔面を適切に保湿しうる寝具を提供する。【解決手段】寝具Ａ１は、少なくとも鼻８２および口８３を収容する加湿空間２と、加湿空間２を規定する本体部１と、加湿空間２に繋がっており、かつ顔面８１以外の身体のいずれかの部位を突出させるための挿通部３と、を備え、本体部１は、顔面８１に対面する位置に設けられた膜状部１５と、頭頂部８５および側頭部８６を囲む環状部１１と、を有している。【選択図】図３
2014224651.tif 000002
【特許請求の範囲】
【請求項１】
少なくとも鼻および口を収容する加湿空間と、
前記加湿空間を規定する本体部と、
前記加湿空間に繋がっており、かつ顔面以外の身体のいずれかの部位を突出させるための挿通部と、
を備えることを特徴とする、寝具。
【請求項２】
前記本体部は、顔面に対面する位置に設けられた膜状部と、頭頂部および側頭部を囲む環状部と、を有している、請求項１に記載の寝具。
【発明の詳細な説明】
【技術分野】
【０００１】
本発明は、使用者の顔面の保湿に寄与しうる寝具に関する。
【背景技術】
【０００２】
皮膚の湿度を適切な範囲に維持することにより、健康や美容を向上することが多くなされている。特に、就寝中は、顔面の皮膚が露出した状態が長く保たれるため、過度に乾燥してしまうことが懸念される。就寝中に顔面の保湿を行う手段として、加湿器が提案されている（たとえば、特許文献１）。加湿器によれば、就寝中に室内の湿度を所望の値に保つことが可能であり、顔面の保湿を実現することができる。
【０００３】
しかしながら、加湿器は、寝室などの室内全体を加湿するものである。このため、寝室などの大きさに応じて、保湿に要する水分量や、この水分を蒸発させるためのエネルギーが必要となる。また、寝室が比較的小さい場合であっても、本来保湿すべき対象である顔面と比べると、寝室は依然として相当に大きいものであり、エネルギーの浪費を招来する点は否めない。
【先行技術文献】
【特許文献】
【０００４】
【特許文献１】特開２０１３−７６５３５号公報
【発明の概要】
【発明が解決しようとする課題】
【０００５】
本発明は、上記した事情のもとで考え出されたものであって、過度なエネルギー消費を要することなく顔面を適切に保湿しうる寝具を提供することをその課題とする。
【課題を解決するための手段】
【０００６】
本発明によって提供される寝具は、少なくとも鼻および口を収容する加湿空間と、前記加湿空間を規定する本体部と、前記加湿空間に繋がっており、かつ顔面以外の身体のいずれかの部位を突出させるための挿通部と、を備えることを特徴としている。
【０００７】
本発明の好ましい実施の形態においては、前記本体部は、顔面に対面する位置に設けられた膜状部と、頭頂部および側頭部を囲む環状部と、を有している。
【発明の効果】
【０００８】
本発明によれば、使用者の鼻および口からの吐息に含まれる湿気（水蒸気）は、上記加湿空間に滞留し、即座に上記寝具外には放出されない。このため、上記加湿空間に収容された使用者の顔面が、自らが排出した湿気（水蒸気）にさらされる格好となる。これにより、使用者の顔面の湿度が保たれ、顔面が過度に乾燥してしまうことを防止することができる。また、吐息の湿気（水蒸気）を利用することにより、水蒸気を発生させるための熱源などを用意する必要がない。したがって、過度なエネルギー消費を要することなく顔面を適切に保湿することができる。
【０００９】
本発明のその他の特徴および利点は、添付図面を参照して以下に行う詳細な説明によって、より明らかとなろう。
【図面の簡単な説明】
【００１０】
【図１】本発明の第一実施形態に基づく寝具を示す平面図である。
【図２】図１の寝具を示す側面図である。
【図３】図１のＩＩＩ−ＩＩＩ線に沿う断面図である。
【図４】本発明の第二実施形態に基づく寝具を示す断面図である。
【発明を実施するための形態】
【００１１】
以下、本発明の好ましい実施の形態につき、図面を参照して具体的に説明する。
【００１２】
図１〜図３は、本発明の第一実施形態に基づく寝具を示している。本実施形態の寝具Ａ１は、本体部１、加湿空間２および挿通部３を有している。図１は、寝具Ａ１およびこれを使用する使用者８を示す平面図であり、図２は、側面図である。図３は、図１のＩＩＩ−ＩＩＩ線に沿う断面図である。
【００１３】
本体部１は、環状部１１および膜状部１５からなり、本実施形態においては、寝具Ａ１の全体を占めている。なお、本発明に係る寝具は、本体部以外に様々な付属部位を有するものであってもよい。
【００１４】
環状部１１は、平面視環状であり、たとえば、綿、ウレタンスポンジ、樹脂ビーズなどの内容物を、綿、化繊、ビニールなどからなる生地によって包んだ構成とされている。あるいは、スポンジなどの単一部材によって構成されていてもよい。環状部１１は、開口１３を有している。開口１３は、図中において上方に開いており、膜状部１５によって塞がれている。図１〜図３に示すように、寝具Ａ１の使用状態において、環状部１１は、使用者８の頭頂部８５および側頭部８６を囲む姿勢となる。
【００１５】
環状部１１は、適度な変形を許容する構成が好ましく、枕７をはじめとするその他の寝具や使用者８の体などに速やかに馴染むことが意図されている。また、環状部１１は、空気の通過をほとんど遮断するものであってもよい。
【００１６】
膜状部１５は、開口１３を塞いでおり、図１〜図３に示す寝具Ａ１の使用状態において、顔面８１に対面する位置に設けられている。膜状部１５は、湿気の通過を適度に阻止する材質が好ましい。また、膜状部１５は、不透明でもよいし、透光性を有するものでもよい。この透光性の度合いは、透明であってもよいし、いわゆる半透明であってもよい。この場合、膜状部１５は、透明または半透明な樹脂シートによって形成される。
【００１７】
加湿空間２は、使用者８の鼻８２および口８３を少なくとも収容する空間であり、本実施形態においては、使用者８の顔面８１のすべてを収容している。加湿空間２は、本体部１によって規定されており、本実施形態においては、環状部１１の内側面および膜状部１５の下面によって規定されている。加湿空間２においては、使用者８の鼻８２および口８３からの吐息に含まれる湿気（水蒸気）が外部に放出されず滞留する。
【００１８】
環状部１１の下方に開いている部位は、挿通部３となっている。挿通部３は、加湿空間２に繋がっており、使用者８の顔面８１以外の身体のいずれかの部位を突出させるために設けられている。本実施形態においては、使用者８の首８４が挿通部３を貫通する格好となっており、使用者８の胸部、腹部、腕、脚などが突出している。なお、より大きなサイズの寝具Ａ１においては、たとえば使用者８の胸部付近が挿通部３を貫通する格好となってもよい。
【００１９】
なお、使用者８が枕７を用いて就寝する一般的な就寝姿勢をとった場合、寝具Ａ１は、図２および図３に示すように傾いた姿勢で使用者８の顔面８１を覆う格好となる。
【００２０】
次に、寝具Ａ１の作用について説明する。
【００２１】
本実施形態によれば、使用者８の鼻８２および口８３からの吐息に含まれる湿気（水蒸気）は、加湿空間２に滞留し、即座に寝具Ａ１外には放出されない。このため、加湿空間２に収容された使用者８の顔面８１が、自らが排出した湿気（水蒸気）にさらされる格好となる。これにより、使用者８の顔面８１の湿度が保たれ、顔面８１が過度に乾燥してしまうことを防止することができる。また、吐息の湿気（水蒸気）を利用することにより、水蒸気を発生させるための熱源などを用意する必要がない。したがって、過度なエネルギー消費を要することなく顔面８１を適切に保湿することができる。
【００２２】
顔面８１に対面する位置に、膜状部１５が設けられている。膜状部１５が透光性を有する場合、使用者８が外部の状況を把握できるという利点がある。また、膜状部１５が湿気（水蒸気）の通過を比較的阻害する構成であれば、使用者８の吐息に含まれる湿気（水蒸気）を加湿空間２に良好に留まらせることが可能であり、顔面８１の保湿に好適である。
【００２３】
図４は、本発明の他の実施形態を示している。なお、これらの図において、上記実施形態と同一または類似の要素には、上記実施形態と同一の符号を付している。
【００２４】
図４は、本発明の第２実施形態に基づく寝具Ａ２を示している。寝具Ａ２においては、本体部１は、殻状部１２および膜状部１５によって構成されている。なお、寝具Ａ２の平面外観は、図１に示す寝具Ａ１と類似している。図４は、図１に示すＩＩＩ−ＩＩＩ線に沿う断面図に相当するものである。
【００２５】
殻状部１２は、使用者８の頭頂部８５および側頭部８６に加えて、後頭部８７を囲むものであり、たとえば全体として卵型に類似した形状とされている。本実施形態においては、殻状部１２のうち後頭部８７を覆う部分は、上述した枕７の代替機能を果たす。なお、殻状部１２の任意の箇所に開閉式の扉を設けることにより、殻状部１２内に好みの枕７を挿入する構成であってもよい。
【００２６】
本実施形態においても、殻状部１２の開口１３を膜状部１５が塞いでいる。また、挿通部３は、殻状部１２の一部が開口することによって形成されている。殻状部１２が後頭部８７を覆うものであるため、本実施形態の挿通部３は、上述した寝具Ａ１における挿通部３よりも小とされており、使用者８が頭頂部８５や顔面８１を通過させた後に、首８４を貫通させるのに適した大きさとなっている。なお、挿通部３に開閉自在の布を取り付けた構成としてもよい。この場合、挿通部３と首８４との隙間を、この布が適切に塞ぐことが期待できる。
【００２７】
このような実施形態によっても、過度なエネルギー消費を要することなく顔面８１を適切に保湿することができる。また、使用者８が寝返りをうった場合であっても、使用者８の顔面８１を加湿空間２内によって適切に収容し続けることができる。
【００２８】
本発明に係る寝具は、上述した実施形態に限定されるものではない。本発明に係る寝具の各部の具体的な構成は、種々に設計変更自在である。
【符号の説明】
【００２９】
Ａ１  寝具
Ａ２  寝具
１  本体部
１１  環状部
１２  殻状部
１３  開口
１５  膜状部
２  加湿空間
３  挿通部
７  枕
８  使用者
８１  顔面
８２  鼻
８３  口
８４  首
８５  頭頂部
８６  側頭部
８７  後頭部
【図１】
2014224651.tif 000003
【図２】
2014224651.tif 000004
【図３】
2014224651.tif 000005
【図４】
2014224651.tif 000006